(57)【要約】【課題】強度を向上できて天板や底板の薄板化が可能になり、軽量化を図ったり、材料コストの削減を図ったりできるフロアパネルを提供する。【解決手段】天板１と底板２とを両者の間に中空部が確保されるように結合した大略矩形状のフロアパネルである。前記底板２には、所定の幅を有し且つ対角線の一端部から他端部に延びる対角線上凸部４を天板１方向と逆方向に凸曲するように形成すると共に、対角線上凸部４に天板１方向へ陥没し且つその先端部を天板１と結合するディンプル３を設ける。【選択図】　　　　図１
2004137735.tif 000002
【特許請求の範囲】
【請求項１】
天板と底板とを両者の間に中空部が確保されるように結合した大略矩形状のフロアパネルにおいて、前記底板には、所定の幅を有し且つ対角線の一端部から他端部に延びる対角線上凸部を天板方向と逆方向に凸曲するように形成すると共に、対角線上凸部に天板方向へ陥没し且つその先端部を天板と結合するディンプルを設けたことを特徴とするフロアパネル。
【請求項２】
前記ディンプルは、対角線上凸部の長手方向に並べて複数個配設すると共に対角線上凸部の幅方向の端部とディンプルの幅方向の端部との間に平坦部を確保したことを特徴とする請求項１記載のフロアパネル。
【請求項３】
前記底板には、底板の隣り合う角部間に延びる外周凸部を設けたことを特徴とする請求項１または請求項２記載のフロアパネル。
【請求項４】
前記底板には、対角線上凸部と外周凸部で囲まれた凹部を天板に当接するように形成したことを特徴とする請求項３記載のフロアパネル。
【請求項５】
前記凹部は、対角線上凸部及び外周凸部近傍の周縁部に天板との結合部を設けたことを特徴とする請求項４記載のフロアパネル。
【発明の詳細な説明】
【０００１】
【発明の属する技術分野】
本発明は、建物の床下地上に所定の高さで床下空間を形成するように二重床を形成するときに用いるフロアパネルの構造に関するものである。
【０００２】
【従来の技術】
従来より、この種のフロアパネルは鋼板のような金属板の天板と鋼板のような金属板の底板２との間に中空部が形成されるように結合して一体化することにより図６に示すように大略正方形状に形成されている。底板２の全面には椀状のディンプル３が天板の方向に凹曲するように形成されており、各ディンプル３の中央の上端が天板に結合してある。図６に示す例では５行×５列のディンプル３を設けてある。また天板の周縁と底板２の周縁とは重ね合わせて接合してある。（例えば、特許文献１参照。）
また図６の構成に加えて対角線方向に隣り合うディンプル３間にディンプル３の径より小さい幅の凸条を設けたもの（例えば、特許文献２参照）、対角線方向に隣り合うディンプル３間にディンプル３の径より小さい幅の溝を設けたもの（例えば、特許文献３参照）もある。
【０００３】
【特許文献１】
特開平１１−２４７４１７号公報
【特許文献２】
特開２００２−８９０２１号公報
【特許文献３】
実開平１−１７９９４２号公報
【０００４】
【発明が解決しようとする課題】
図６に示す従来例で底板にディンプル３を設けることで補強してあるために金属板からなる天板と底板２とでフロアパネルが構成されてもある程度強度を有するが、上記のようにディンプル３で主に補強する構造である場合、材料、製品の薄型軽量化を図ると、強度がダウンしてしまうという問題がある。
【０００５】
また対角線方向に隣り合うディンプル３間にディンプル３の径より小さい幅の凸条や溝を設けた構造でも主にディンプル３で補強しており、材料、製品の薄型軽量化を図ると、強度がダウンしてしまうという問題がある。
【０００６】
本発明は上記の点に鑑みてなされたものであり、強度を向上できて天板や底板の薄板化が可能になり、軽量化を図ったり、材料コストの削減を図ったりできるフロアパネルを提供することを課題とするものである。
【０００７】
【課題を解決するための手段】
上記課題を解決するための本発明のフロアパネルは、天板１と底板２とを両者の間に中空部が確保されるように結合した大略矩形状のフロアパネルにおいて、前記底板２には、所定の幅を有し且つ対角線の一端部から他端部に延びる対角線上凸部４を天板１方向と逆方向に凸曲するように形成すると共に、対角線上凸部４に天板１方向へ陥没し且つその先端部を天板１と結合するディンプル３を設けたことを特徴とする。底板２に対角線方向に対角線上凸部４を設け且つ対角線上凸部４にディンプル３を設けたことにより、ディンプル３を設けるだけの従来のものに比べて効果的に補強できて剛性を高めることでき、天板１や底板２の薄板化を図ることができて軽量化を図ったり材料コストの削減を図ったりできる。
【０００８】
また前記ディンプル３は、対角線上凸部４の長手方向に並べて複数個配設すると共に対角線上凸部４の幅方向の端部とディンプル３の幅方向の端部との間に平坦部５を確保したことを特徴とすることも好ましい。対角線上凸部４を設けてこの対角線上凸部４にディンプル３を設けるものでも曲げ成形が容易にできる。
【０００９】
また前記底板２には、底板２の隣り合う角部間に延びる外周凸部６を設けたことを特徴とすることも好ましい。外周凸部６でも補強でき、さらに効果的に補強できて剛性を高めることができ、天板１や底板２の薄板化を図ることができて軽量化を図ったり材料コストの削減を図ったりできる。
【００１０】
また前記底板２には、対角線上凸部４と外周凸部６で囲まれた凹部７を天板１に当接するように形成したことを特徴とすることも好ましい。凹部７により一層補強できて剛性を高めることができる。
【００１１】
また前記凹部７は、対角線上凸部４及び外周凸部６近傍の周縁部に天板１との結合部８を設けたことを特徴とすることも好ましい。結合部８により補強して剛性を高めることができる。
【００１２】
【発明の実施の形態】
フロアパネルは図１乃至図３に示すように正方形状に形成されており、鋼板のような金属板よりなる天板１と底板２とで構成されており、天板１の周縁と底板２の周縁とを重ねて一体化してある。底板２には底板２の一対の対角線に沿って対角線上凸部４を設けてある。この対角線上凸部４は、所定の幅を有し且つ対角線の一端部から他端部に至っており、底板２を天板１方向と逆方向に凸曲するように形成してある。対角線上凸部４の幅は例えば約９０ｍｍである。このように底板２の対角線に沿って対角線上凸部４を凸曲するように成形することでフロアパネルの中央部の剛性を高めることができる。
【００１３】
またこの対角線上凸部４には天板１方向に陥没するディンプル３を凹設してあり、ディンプル３の凹曲する方向の先端部を天板１に結合部（かしめ結合）１０にて結合してある。このディンプル３は対角線上凸部４の長手方向に等間隔に形成してあり、本例の場合、各対角線上凸部４に夫々９個のディンプル３が位置するように設けてある。このディンプル３は例えば外径が６０ｍｍφ程度で先端部である頂部径は例えば１８ｍｍφ程度である。
【００１４】
このように対角線上凸部４の幅は約９０ｍｍ程度であり、ディンプル３の外径が６０ｍｍφ程度であるために対角線上凸部４の縁部とディンプル３の外周縁との間に平坦部５がある。このように平坦部５があることにより鋼板のような金属板を曲げ成形して対角線上凸部４とディンプル３を容易に形成することができる。
【００１５】
また底板２には、底板２の隣り合う角部間に延びる外周凸部６を略全周に亙るように設けてある。この外周凸部６は断面略コ字状であり、天板１方向と逆方向に凸曲するように形成してある。この外周凸部６は例えば約４０ｍｍの幅で設けてあり、外周凸部６を設けることで外周で剛性を高めて補強することができる。この外周凸部６と対角線上凸部４とは連続しており、これらにより一つの面を形成している。また上記のように対角線上凸部４と外周凸部６を設けることで剛性を高めているが、このように凸部で剛性を高めて補強する構造にすると、この凸部によってフロアパネルの高さも確保することができる。
【００１６】
また前記底板２には、対角線上凸部４と外周凸部６で囲まれた略三角形状の凹部７を設けてあり、この凹部７を天板１に密着するように当接してある。この凹部７は対角線上凸部４及び外周凸部６の近傍の周縁部に設けた結合部（かしめ結合）８にて天板１に結合してあると共に凹部７の中央に設けた結合部（かしめ結合）１１にて天板１に結合してある。このように凹部７を結合部８，１１にて結合することにより補強して剛性を高めることができる。
【００１７】
また天板１と底板２とはその端辺同士を重ね合わせてあり、その重ね合わせ部同士を複数の結合部（かしめ結合）９にて結合してある。この天板１と底板２の端辺同士を重ねた重ね合わせ部は結合部９より外方の部分で底板２方向に垂直に曲げてあり、この部分で垂下縁１３を形成してある。このように結合部９で結合すると共に垂下縁１３を形成することでさらに補強して剛性を高めることができる。
【００１８】
また天板１や底板２の４隅の角部には円弧状に切り欠いた切り欠き部１４を設けてあり、４隅の手前では底板２に嵌合穴１５を設けてある。フロアパネルの上面にはタイルカーペットのような表面仕上げ材が敷設されるが、表面仕上げ材は予めフロアパネルの上面に敷設してあってもフロアパネルを床下地上に支柱を介して施工した後に敷設するものであってもよい。
【００１９】
図１乃至図３に示す本発明の実施の形態の構造のフロアパネルと図６に示す従来の構造のフロアパネルとの荷重試験した結果を図４、図５に示す。図４はフロアパネルの中央集中荷重試験の結果を示し、図５は辺（端辺）集中荷重試験の結果を示し、縦軸は荷重（Ｎ）で横軸はたわみ量（ｍｍ）を示す。この結果から３０００Ｎの荷重がかかった時、剛性がパネル中央で約２２％、パネル辺部で約２９％向上する（図４、図５の符号ａ部参照）。また５０００Ｎの荷重がかかった時、剛性がパネル中央で約２５％、パネル辺部で約４５％向上する（図４、図５の符号ｂ部参照）。また終局荷重時、剛性がパネル中央で約２０％、パネル辺部で約１２％向上する（図４、図５の符号ｃ部参照）。
【００２０】
上記の結果から本発明のフロアパネルは、天板１や底板２を構成する鋼板のような金属板の薄板化が可能になり、軽量化、材料コストの低減を図ることができる。また５０００Ｎの荷重にも耐え得る高強度のフロアパネルの仕様の場合も薄板化が図ることができる。
【００２１】
【発明の効果】
本発明の請求項１の発明は、天板と底板とを両者の間に中空部が確保されるように結合した大略矩形状のフロアパネルにおいて、前記底板には、所定の幅を有し且つ対角線の一端部から他端部に延びる対角線上凸部を天板方向と逆方向に凸曲するように形成すると共に、対角線上凸部に天板方向へ陥没し且つその先端部を天板と結合するディンプルを設けたので、ディンプルを設けるだけの従来のものに比べて効果的に補強できて剛性を高めることでき、天板や底板の薄板化を図ることができて軽量化を図ったり材料コストの削減を図ったりできるものである。
【００２２】
また本発明の請求項２の発明は、請求項１において、前記ディンプルは、対角線上凸部の長手方向に並べて複数個配設すると共に対角線上凸部の幅方向の端部とディンプルの幅方向の端部との間に平坦部を確保したので、対角線上凸部を設けてこの対角線上凸部にディンプルを設けるものでも曲げ成形が容易にできるものである。
【００２３】
また本発明の請求項３の発明は、請求項１または請求項２において、前記底板には、底板の隣り合う角部間に延びる外周凸部を設けたので、外周凸部でも補強でき、さらに効果的に補強できて剛性を高めることができ、天板や底板の薄板化を図ることができて軽量化を図ったり材料コストの削減を図ったりできるものである。
【００２４】
また本発明の請求項４の発明は、請求項３において、前記底板には、対角線上凸部と外周凸部で囲まれた凹部を天板に当接するように形成したので、凹部により一層補強できて剛性を高めることができるものである。
【００２５】
また本発明の請求項５の発明は、請求項４において、前記凹部は、対角線上凸部及び外周凸部近傍の周縁部に天板との結合部を設けたので、結合部により補強して剛性を高めることができるものである。
【図面の簡単な説明】
【図１】本発明のフロアパネルの底面図である。
【図２】（ａ）は同上のフロアパネルの平面図、（ｂ）は（ａ）の正面図、（ｃ）は（ａ）の背面図、（ｄ）は左側面図、（ｅ）は右側面図である。
【図３】（ａ）は図２（ａ）のＡ−Ａ線断面図、（ｂ）図２（ａ）のＢ−Ｂ線断面図である。
【図４】本発明品と従来品の中央集中荷重試験の結果を示すグラフである。
【図５】本発明品と従来品の辺集中荷重試験の結果を示すグラフである。
【図６】従来例のフロアパネルを示す底面図である。
【符号の説明】
１　天板
２　底板
３　ディンプル
４　対角線上凸部
６　外周凸部
７　凹部
８　結合部
９　結合部
【図１】
2004137735.tif 000003
【図２】
2004137735.tif 000004
【図３】
2004137735.tif 000005
【図４】
2004137735.tif 000006
【図５】
2004137735.tif 000007
【図６】
2004137735.tif 000008